(57)【要約】【課題】これから放送されるアナログラジオ放送の番組表を提供する。【解決手段】第１デコード部１２は、第１アンテナ１により受信されたアナログラジオ放送を音声データにデコードする。第１音声認識部１３は、第１デコード部１２によりデコードされた音声データをテキストデータに変換する。第１キーワード検索部１４は、第１音声認識部１３により変換されたテキストデータの中から現在日時以降の日時を示すキーワードを検索し、上記日時を示すキーワードを含む前後のテキストデータの中から予め定められた番組情報に関するキーワードを含む番組情報テキストデータを検索して抽出する。番組表作成部１５は、第１キーワード検索部１４により抽出された番組情報テキストデータを用いて、番組の放送予定を表す番組表を作成する。【選択図】図１
2020005031.tif 000002
【特許請求の範囲】
【請求項１】
第１アンテナにより受信されたアナログラジオ放送を音声データにデコードする第１デコード部と、
前記第１デコード部によりデコードされた音声データをテキストデータに変換する第１音声認識部と、
前記第１音声認識部により変換されたテキストデータの中から現在日時以降の日時を示すキーワードを検索し、前記日時を示すキーワードを含む前後のテキストデータの中から予め定められた番組情報に関するキーワードを含む番組情報テキストデータを検索して抽出する第１キーワード検索部と、
前記第１キーワード検索部により抽出された番組情報テキストデータを用いて、番組の放送予定を表す番組表を作成する番組表作成部とを備えるラジオ受信装置。
【請求項２】
前記第１キーワード検索部は、前記第１音声認識部により変換されたテキストデータの中から現在日時以降の日時を示すキーワードを検索し、前記日時を示すキーワードを含む前後のテキストデータの中から予め定められた交通情報に関するキーワードを含む交通情報テキストデータを検索して抽出し、
前記番組表作成部は、前記第１キーワード検索部により抽出された交通情報テキストデータを用いて、前記番組表に対して交通情報の放送予定を追加することを特徴とする請求項１記載のラジオ受信装置。
【請求項３】
前記第１キーワード検索部は、前記第１音声認識部により変換されたテキストデータを用いて番組の切れ目を検出し、検出した番組の切れ目の後に続くテキストデータを、番組名を示す番組情報テキストデータとして抽出することを特徴とする請求項１記載のラジオ受信装置。
【請求項４】
前記第１キーワード検索部は、前記第１アンテナが受信中のアナログラジオ放送の周波数と同じ数字を含むテキストデータを検索し、検索したテキストデータの中から放送局名を示す番組情報テキストデータを抽出することを特徴とする請求項１記載のラジオ受信装置。
【請求項５】
第２アンテナにより受信された、前記第１アンテナが受信中のアナログラジオ放送とは異なるアナログラジオ放送を、音声データにデコードする第２デコード部と、
前記第２デコード部によりデコードされた音声データをテキストデータに変換する第２音声認識部と、
前記第２音声認識部により変換されたテキストデータの中から現在日時以降の日時を示すキーワードを検索し、前記日時を示すキーワードを含む前後のテキストデータの中から予め定められた番組情報に関するキーワードを含む番組情報テキストデータを検索して抽出する第２キーワード検索部と、
前記第１キーワード検索部により抽出された番組情報テキストデータと前記第２キーワード検索部により抽出された番組情報テキストデータとが同じである場合、前記第２アンテナが受信中のアナログラジオ放送局を、前記第１アンテナが受信中のアナログラジオ放送局の受信状態が悪くなった場合の代替局と判定する代替局判定部とを備えることを特徴とする請求項１記載のラジオ受信装置。
【請求項６】
請求項１から請求項５のうちのいずれか１項記載のラジオ受信装置と、
前記ラジオ受信装置がデコードしたアナログラジオ放送の音声データを出力するスピーカと、
前記ラジオ受信装置が作成した番組表を表示するディスプレイとを備えることを特徴とする車載装置。
【請求項７】
第１アンテナにより受信されたアナログラジオ放送を音声データにデコードする第１デコード手順と、
前記第１デコード手順によりデコードされた音声データをテキストデータに変換する第１音声認識手順と、
前記第１音声認識手順により変換されたテキストデータの中から現在日時以降の日時を示すキーワードを検索し、前記日時を示すキーワードを含む前後のテキストデータの中から予め定められた番組情報に関するキーワードを含む番組情報テキストデータを検索して抽出する第１キーワード検索手順と、
前記第１キーワード検索手順により抽出された番組情報テキストデータを用いて、番組の放送予定を表す番組表を作成する番組表作成手順とを、コンピュータに実行させるラジオ受信プログラム。
【発明の詳細な説明】
【技術分野】
【０００１】
この発明は、アナログラジオ放送を受信するラジオ受信装置、車載装置、及びラジオ受信プログラムに関するものである。
【背景技術】
【０００２】
近年、テレビ放送及びラジオ放送ともにデジタル化が進んでおり、ユーザに対して様々な情報を提供できるようになっている。これに伴い、欧州向け及び北米向けのラジオ放送は、音声放送と同時にデータ放送を送出しており、ユーザに対して番組表を提供できる。しかしながら、日本のラジオ放送は、音声放送のみであり、ユーザに対して番組表を提供できない。
【０００３】
特許文献１に係る音声情報取得装置は、ニュース放送等の音声信号を音声データに変換し、変換した音声データをテキストデータに変換し、変換したテキストデータからキーワードを抽出すると共にキーワードの出現頻度を求める。これにより、ユーザは、現在世の中で話題となっている情報を知ることができる。また、ユーザは、出現頻度の高いキーワードを検索キーとして用いて外部の大容量データベースを対象とする情報検索を行うことで、実社会で話題となっている出来事に関連した情報を取得することもできる。
【先行技術文献】
【特許文献】
【０００４】
【特許文献１】特開平８−２４９３４３号公報
【発明の概要】
【発明が解決しようとする課題】
【０００５】
特許文献１に係る音声情報取得装置は以上のように構成されているので、放送済みのアナログラジオ放送の番組に関する情報をテキストデータから抽出してユーザに提供することは可能であるが、これから放送されるアナログラジオ放送の番組表を提供することはできないという課題があった。
【０００６】
この発明は、上記のような課題を解決するためになされたもので、これから放送されるアナログラジオ放送の番組表を提供することを目的とする。
【課題を解決するための手段】
【０００７】
この発明に係るラジオ受信装置は、第１アンテナにより受信されたアナログラジオ放送を音声データにデコードする第１デコード部と、第１デコード部によりデコードされた音声データをテキストデータに変換する第１音声認識部と、第１音声認識部により変換されたテキストデータの中から現在日時以降の日時を示すキーワードを検索し、日時を示すキーワードを含む前後のテキストデータの中から予め定められた番組情報に関するキーワードを含む番組情報テキストデータを検索して抽出する第１キーワード検索部と、第１キーワード検索部により抽出された番組情報テキストデータを用いて、番組の放送予定を表す番組表を作成する番組表作成部とを備えるものである。
【発明の効果】
【０００８】
この発明によれば、アナログラジオ放送の音声データを変換したテキストデータを用いて番組の放送予定を表す番組表を作成するようにしたので、これから放送されるアナログラジオ放送の番組表を提供することができる。
【図面の簡単な説明】
【０００９】
【図１】実施の形態１に係るラジオ受信装置を用いた車載装置の構成例を示すブロック図である。
【図２】実施の形態１に係るラジオ受信装置の番組表作成の動作例を示すフローチャートである。
【図３】実施の形態１の番組表作成部が作成する番組表の一例を示す図である。
【図４】実施の形態１に係るラジオ受信装置の選局切り替えの動作例を示すフローチャートである。
【図５】実施の形態１に係るラジオ受信装置の変形例を示すブロック図である。
【図６】実施の形態２に係るラジオ受信装置を用いた車載装置の構成例を示すブロック図である。
【図７】実施の形態２に係るラジオ受信装置の代替局判定の動作例を示すフローチャートである。
【図８】図８Ａ及び図８Ｂは、各実施の形態に係るラジオ受信装置のハードウェア構成例を示す図である。
【発明を実施するための形態】
【００１０】
実施の形態１．
図１は、実施の形態１に係るラジオ受信装置１０を用いた車載装置の構成例を示すブロック図である。車載装置は、車両に搭載されている、ラジオ受信装置１０、第１アンテナ１、スピーカ２、及びディスプレイ３を含む。ラジオ受信装置１０には、第１アンテナ１、スピーカ２、及びディスプレイ３が接続される。
【００１１】
ラジオ受信装置１０は、アナログラジオ放送を受信し、受信したアナログラジオ放送の音声データをスピーカ２から出力し、アナログラジオ放送の番組表をディスプレイ３に表示するものである。このラジオ受信装置１０は、第１選局部１１、第１デコード部１２、第１音声認識部１３、第１キーワード検索部１４、番組表作成部１５、番組表記憶部１６、表示制御部１７、音声出力部１８、及び選局制御部１９を含む。
【００１２】
選局制御部１９は、ユーザが選択したアナログラジオ放送局を選局するよう、第１選局部１１に指示する。第１選局部１１は、選局制御部１９から指示されたアナログラジオ放送局の電波を、第１アンテナ１に受信させる。
【００１３】
第１デコード部１２は、第１アンテナ１が受信したアナログラジオ放送を音声データにデコードし、第１音声認識部１３及び音声出力部１８へ出力する。音声出力部１８は、第１デコード部１２から受け取った音声データを、スピーカ２へ出力する。
【００１４】
第１音声認識部１３は、第１デコード部１２によりデコードされた音声データを音声認識し、テキストデータに変換する。第１音声認識部１３は、変換したテキストデータを、第１キーワード検索部１４へ出力する。
【００１５】
第１キーワード検索部１４は、第１音声認識部１３により変換されたテキストデータの中から、予め定められた番組情報に関するキーワードを含む番組情報テキストデータを検索して抽出し、抽出した番組情報テキストデータを番組表作成部１５へ出力する。番組情報とは、放送日時、放送局名、番組名、又は番組内容等を示す情報である。また、第１キーワード検索部１４は、第１音声認識部１３により変換されたテキストデータの中から、予め定められた交通情報に関するキーワードを含む交通情報テキストデータを検索して抽出し、抽出した交通情報テキストデータを番組表作成部１５へ出力する。
【００１６】
番組表作成部１５は、第１キーワード検索部１４により抽出された番組情報テキストデータを用いて、番組の放送予定を表す番組表を作成する。番組表作成部１５は、作成した番組表を、番組表記憶部１６に記憶させる。
【００１７】
表示制御部１７は、ユーザの指示に従い、番組表作成部１５に記憶されている番組表を読み出し、ディスプレイ３へ出力する。
【００１８】
次に、実施の形態１に係るラジオ受信装置１０の動作を説明する。
図２は、実施の形態１に係るラジオ受信装置１０の番組表作成の動作例を示すフローチャートである。ラジオ受信装置１０は、ラジオ受信装置１０が動作している間、図２のフローチャートに示される動作を繰り返す。
【００１９】
ステップＳＴ１において、第１デコード部１２は、第１選局部１１により選局されているアナログラジオ放送局のアナログラジオ放送を、音声データにデコードする。
【００２０】
ステップＳＴ２において、第１音声認識部１３は、第１デコード部１２によりデコードされたアナログラジオ放送局の音声データを、テキストデータに変換する。
【００２１】
ステップＳＴ３において、第１キーワード検索部１４は、第１音声認識部１３により変換されたテキストデータの中から、現在日時以降の日時を示すキーワードを検索する。そして、第１キーワード検索部１４は、上記日時を示すキーワードを含む前後のテキストデータの中から、予め定められた番組情報又は交通情報に関するキーワードを含む番組情報テキストデータ又は交通情報テキストデータを検索して抽出する。
【００２２】
ステップＳＴ４において、番組表作成部１５は、第１キーワード検索部１４により抽出された番組情報テキストデータ又は交通情報テキストデータを用いて番組表を作成し、作成した番組表を番組表記憶部１６に記憶させる。
【００２３】
図３は、実施の形態１の番組表作成部１５が作成する番組表の一例を示す図である。
例えば、「この後、〇時〇分から、ＢＢＢを放送します。」というテキストデータがある場合を仮定する。第１キーワード検索部１４は、「この後、〜から」という放送日時を示すキーワードと、「〜を放送します。」という番組名を示すキーワードを検索する。そして、第１キーワード検索部１４は、「この後、〇時〇分から」という放送日時を示す番組情報テキストデータと、「ＢＢＢを放送します。」という番組名を示す番組情報テキストデータとを抽出する。番組表作成部１５は、「この後、〇時〇分から」及び「ＢＢＢを放送します。」という番組情報テキストデータを用いて、放送日時「〇月〇日〇時〇分」及び番組名「ＢＢＢ」という番組情報を番組表に追加する。また、番組表作成部１５は、この番組情報の抽出元であるアナログラジオ放送局の周波数、即ち第１アンテナ１が受信中の周波数を、この番組情報に対応付けて番組表に追加する。
【００２４】
また、例えば、「明日、□時□分から、ゲストにＣＣＣさんが登場します。」というテキストデータがある場合を仮定する。第１キーワード検索部１４は、「明日、〜から」という放送日時を示すキーワードと、「ゲストに〜さんが登場」という番組内容を示すキーワードを検索する。そして、第１キーワード検索部１４は、「明日、□時□分から」という放送日時を示す番組情報テキストデータと、「ゲストにＣＣＣさんが登場」という番組内容を示す番組情報テキストデータとを抽出する。番組表作成部１５は、「明日、□時□分から」及び「ゲストにＣＣＣさんが登場」という番組情報テキストデータを用いて、放送日時「□月□日□時□分」及び番組名「ゲストにＣＣＣさんが登場」という番組情報を番組表に追加する。
【００２５】
また、例えば、第１キーワード検索部１４は、第１音声認識部１３により変換されたテキストデータを解析することによってコマーシャル又は時報等の、番組の切れ目になる箇所を検出し、検出した番組の切れ目の後に続くテキストデータを、番組名を示す番組情報テキストデータとして抽出してもよい。
【００２６】
なお、番組名は番組放送中に何度も放送される可能性がある。そこで、番組表作成部１５は、番組の切れ目の後に続くテキストデータを番組名の候補とみなしてもよい。そして、番組表作成部１５は、第１キーワード検索部１４によりその番組名が所定回数抽出された時点で、その番組名を正式に番組表に追加する。
【００２７】
放送局の周波数を示す数字が放送された場合、その前後で放送局名が放送される場合がある。そこで、第１キーワード検索部１４は、第１選局部１１が現在選局中のアナログラジオ放送局の周波数と同じ数字をキーワードとして用いて、第１音声認識部１３により変換されたテキストデータを検索し、放送局名と推測されるテキストデータを番組情報テキストデータとして抽出してもよい。例えば、１０００ｋＨｚのアナログラジオ放送局を選局している場合であって「１０００ｋＨｚ  ＡＡＡ」というテキストデータがある場合を仮定する。第１キーワード検索部１４は、「１０００」という数字をアナログラジオ放送局の周波数として検索し、その数字に続く「ＡＡＡ」というテキストデータを放送局名と推測して番組情報テキストデータとして抽出する。
【００２８】
また、例えば、第１キーワード検索部１４は、「〜をキーステーションとして、〜でお送りしています」という放送局名を示すキーワードを用いて、放送局名を検索してもよい。「ＡＡＡをキーステーションとして全国ＥＥＥ局ネットでお送りしています。」というテキストデータがある場合、第１キーワード検索部１４は、上記キーワードを用いて「ＡＡＡ」という放送局名を示す番組情報テキストデータを抽出する。
【００２９】
また、番組の冒頭に、「ＡＡＡをお聞きの皆様」と、放送局名ＡＡＡを含む放送が行われることが多い。そこで、第１キーワード検索部１４は、「〜をお聞きの皆様」というキーワードを用いて放送局名を検索し、「ＡＡＡ」という放送局名を示す番組情報テキストデータを抽出してもよい。
【００３０】
ラジオ受信装置１０が車両に搭載されるものである場合、このラジオ受信装置１０は、道路の渋滞及び規制等を示す情報を放送する交通情報の番組を含む番組表を作成することが好ましい。ここで、例えば、「次回の交通情報は△時△分にお届けします。」というテキストデータがある場合を仮定する。第１キーワード検索部１４は、「次回の交通情報」という交通情報を示すキーワードを検索する。そして、第１キーワード検索部１４は、「△時△分」という放送日時を示す交通情報テキストデータと、「交通情報」という番組名を示す交通情報テキストデータとを抽出する。番組表記憶部１６は、「△時△分」及び「交通情報」という交通情報テキストデータを用いて、放送日時「△月△日△時△分」及び番組名「交通情報」という番組情報を番組表に追加する。なお、第１キーワード検索部１４及び番組表作成部１５は、交通情報と同様に、ニュースに関する番組情報を抽出して番組表に追加してもよい。
【００３１】
また、交通情報は、日本道路交通情報センター（ＪＡＲＴＩＣ：「ＪＡＲＴＩＣ」は登録商標）の職員が読み上げるため、「それでは道路交通情報、ＪＡＲＴＩＣのＦＦＦさん、お願いします」という放送に続いて交通情報が放送されることが多い。そこで、第１キーワード検索部１４は、「道路交通情報」又は「ＪＡＲＴＩＣ」の少なくとも一方を、交通情報を示すキーワードに用いて、交通情報を放送するアナログラジオ放送局を検索してもよい。番組表作成部１５は、第１キーワード検索部１４が検索したアナログラジオ放送局を、交通情報を放送したアナログラジオ放送局として、番組表記憶部１６に記憶させる。一度、交通情報テキストデータを抽出できたアナログラジオ放送局は、今後も交通情報を放送する可能性が高いため、選局制御部１９は、番組表記憶部１６に記憶されている交通情報を放送した上記アナログラジオ放送局を選局する指示を、定期的に第１選局部１１に出力してもよい。これにより、ラジオ受信装置１０は、定期的に、交通情報の放送日時をチェックして番組表に追加することができる。
【００３２】
また、ラジオ受信装置１０は、交通情報が放送される時刻となったときに、交通情報を放送するアナログラジオ放送局に切り替えてもよい。図４は、実施の形態１に係るラジオ受信装置１０の選局切り替えの動作例を示すフローチャートである。選局制御部１９は、ラジオ受信装置１０が動作している間、図４のフローチャートに示される動作を繰り返す。
【００３３】
ステップＳＴ１１において、選局制御部１９は、番組表記憶部１６に記憶されている番組表を参照し、交通情報が放送される放送日時と放送局名とを確認する。ステップＳＴ１２において、選局制御部１９は、現在の日時が、ステップＳＴ１１で確認した放送日時になった場合（ステップＳＴ１２“ＹＥＳ”）、ステップＳＴ１３へ進み、それ以外の場合（ステップＳＴ１２“ＮＯ”）、図４のフローチャートに示される動作を終了する。ステップＳＴ１３において、選局制御部１９は、ステップＳＴ１１で確認した放送局名に対応するアナログラジオ放送局を選局するよう、第１選局部１１に指示する。第１選局部１１は、選局制御部１９から指示されたアナログラジオ放送局の電波を、第１アンテナ１に受信させる。
【００３４】
以上のように、実施の形態１に係るラジオ受信装置１０は、第１デコード部１２と、第１音声認識部１３と、第１キーワード検索部１４と、番組表作成部１５と、番組表記憶部１６とを備える。第１デコード部１２は、第１アンテナ１により受信されたアナログラジオ放送を音声データにデコードする。第１音声認識部１３は、第１デコード部１２によりデコードされた音声データをテキストデータに変換する。第１キーワード検索部１４は、第１音声認識部１３により変換されたテキストデータの中から現在日時以降の日時を示すキーワードを検索し、上記日時を示すキーワードを含む前後のテキストデータの中から予め定められた番組情報に関するキーワードを含む番組情報テキストデータを検索して抽出する。番組表作成部１５は、第１キーワード検索部１４により抽出された番組情報テキストデータを用いて、番組の放送予定を表す番組表を作成する。これにより、ラジオ受信装置１０は、日本のようなデータ放送のないアナログラジオ放送において、欧州のＲＤＳ（Ｒａｄｉｏ  Ｄａｔａ  Ｓｙｓｔｅｍ）及び北米のＲＢＤＳ（Ｒａｄｉｏ  Ｂｒｏａｄｃａｓｔ  Ｄａｔａ  Ｓｙｓｔｅｍ）のように、これから放送されるアナログラジオ放送の番組表を提供することができる。
【００３５】
また、インターネットを通じてアナログラジオ放送の番組情報を提供するサービスがあるが、このサービスを利用して番組表を作成する場合、ラジオ受信装置１０はインターネットに接続するための無線通信機を備える必要がある。実施の形態１に係るラジオ受信装置１０は、アナログラジオ放送のみを用いることから、番組表作成を低コストに実現することができる。
【００３６】
また、実施の形態１の第１キーワード検索部１４は、第１音声認識部１３により変換されたテキストデータの中から現在日時以降の日時を示すキーワードを検索し、上記日時を示すキーワードを含む前後のテキストデータの中から予め定められた交通情報に関するキーワードを含む交通情報テキストデータを検索して抽出する。番組表作成部１５は、第１キーワード検索部１４により抽出された交通情報テキストデータを用いて、番組表に対して交通情報の放送予定を追加する。ラジオ受信装置１０が車両に搭載されている場合、車両の運転者にとって有益な、交通情報の放送予定を含む番組表を提供することができる。
【００３７】
また、実施の形態１の第１キーワード検索部１４は、第１音声認識部１３により変換されたテキストデータを用いて、コマーシャル又は時報等の番組の切れ目を検出し、検出した番組の切れ目の後に続くテキストデータを、番組名を示す番組情報テキストデータとして抽出する。これにより、第１キーワード検索部１４は、精度よく番組名を抽出することができる。
【００３８】
また、実施の形態１の第１キーワード検索部１４は、第１アンテナ１が受信中のアナログラジオ放送の周波数と同じ数字を含むテキストデータを検索し、検索したテキストデータの中から放送局名を示す番組情報テキストデータを抽出する。これにより、第１キーワード検索部１４は、精度よく放送局名を抽出することができる。
【００３９】
なお、実施の形態１に係るラジオ受信装置１０は、１つの第１アンテナ１を用いる構成であるため、ユーザが聴取中のアナログラジオ放送局が放送する予定の番組の番組表を作成することになる。これに対し、複数のアナログラジオ放送局が放送する予定の番組の番組表を作成する場合、例えば、選局制御部１９は、一定時間が経過するごとに、受信するアナログラジオ放送局を切り替えるよう第１選局部１１を制御する。なお、選局制御部１９は、ユーザがアナログラジオ放送を聴取していない期間に、上記制御を行う。
【００４０】
また、例えば、ラジオ受信装置１０は、複数の第１アンテナ１を用いて複数のアナログラジオ放送局が放送する予定の番組の番組表を作成してもよい。
図５に、実施の形態１に係るラジオ受信装置１０の変形例を示す。図５の例では、ラジオ受信装置１０は、第１アンテナ１、第１選局部１１、第１デコード部１２、第１音声認識部１３、及び第１キーワード検索部１４からなる受信系統を、２系統備える。２系統のうち、音声出力部１８に接続されている受信系統は、ユーザのラジオ聴取に使用され、もう１つの受信系統は、番組表作成に使用される。選局制御部１９は、番組表作成に使用される受信系統の第１選局部１１に対し、一定時間が経過するごとに、受信するアナログラジオ放送局を切り替えるよう指示する。これにより、ラジオ受信装置１０は、ユーザのラジオ聴取と並行して、番組表を作成することができる。なお、図５の例では、番組表作成に使用される受信系統が１つだが、複数でもよい。
【００４１】
実施の形態２．
アナログラジオ放送の聴取可能地域であっても、山岳部又は高層建築物等により電波が遮られて聴取できない場所がある。そのため、アナログラジオ放送局の中には、同じ番組を複数の異なる周波数で同時に放送する、ＭＦＮ（Ｍｕｌｔｉ  Ｆｒｅｑｕｅｎｃｙ  Ｎｅｔｗｏｒｋ）の形態をとっているものがある。そこで、実施の形態２のラジオ受信装置１０は、ユーザが聴取中のアナログラジオ放送の受信状態が悪化した場合に、受信状態が悪化したアナログラジオ放送の番組と同じ内容かつ異なる周波数の代替局に切り替え可能にする。
【００４２】
図６は、実施の形態２に係るラジオ受信装置１０を用いた車載装置の構成例を示すブロック図である。実施の形態２に係る車載装置は、図１に示された実施の形態１の車載装置に対して、第２アンテナ２０、第２選局部２１、第２デコード部２２、第２音声認識部２３、第２キーワード検索部２４、代替局判定部２５、及び代替局記憶部２６が追加された構成である。図６において、図１と同一又は相当する部分は、同一の符号を付し説明を省略する。
【００４３】
選局制御部１９は、ユーザが選択したアナログラジオ放送局を選局するよう、第１選局部１１に指示する。第１選局部１１は、選局制御部１９から指示されたアナログラジオ放送局の電波を、第１アンテナ１に受信させる。一方、選局制御部１９は、第１アンテナ１が受信中のアナログラジオ放送局とは異なる周波数のアナログラジオ放送局を選局するよう、第２選局部２１に指示する。このとき、選局制御部１９は、一定時間が経過するごとに、受信するアナログラジオ放送局を切り替えるよう、第２選局部２１を制御する。第２選局部２１は、選局制御部１９から指示されたアナログラジオ放送局の電波を、第２アンテナ２０に受信させる。
【００４４】
第２デコード部２２は、第２アンテナ２０が受信したアナログラジオ放送を音声データにデコードし、第２音声認識部２３へ出力する。
【００４５】
第２音声認識部２３は、第２デコード部２２によりデコードされた音声データを音声認識し、テキストデータに変換する。第２音声認識部２３は、変換したテキストデータを
第２キーワード検索部２４へ出力する。
【００４６】
第２キーワード検索部２４は、第２音声認識部２３により変換されたテキストデータの中から、予め定められた番組情報に関するキーワードを含む番組情報テキストデータを検索して抽出し、抽出した番組情報テキストデータ又は交通情報テキストデータを代替局判定部２５へ出力する。第２キーワード検索部２４による番組情報テキストデータ又は交通情報テキストデータの抽出方法は、実施の形態１の第１キーワード検索部１４による方法と同じであるため、説明を省略する。
【００４７】
代替局判定部２５は、第１キーワード検索部１４により抽出された番組情報テキストデータと第２キーワード検索部２４により抽出された番組情報テキストデータとを比較する。そして、代替局判定部２５は、両者が同じである場合、第２アンテナ２０が受信中のアナログラジオ放送局を、第１アンテナ１が受信中のアナログラジオ放送局の受信状態が悪くなった場合の代替局と判定する。代替局判定部２５は、判定した代替局の情報を、代替局記憶部２６に記憶させる。
【００４８】
図７は、実施の形態２に係るラジオ受信装置１０の代替局判定の動作例を示すフローチャートである。ラジオ受信装置１０は、ラジオ受信装置１０が動作している間、図７のフローチャートに示される動作を繰り返す。
【００４９】
ステップＳＴ２１において、代替局判定部２５は、番組表記憶部１６に記憶されている番組表から、第１アンテナ１が現在受信中のアナログラジオ放送局の番組情報又は交通情報を抽出する。また、選局制御部１９は、一定時間が経過するごとに、受信するアナログラジオ放送局を切り替えるよう第２選局部２１を制御する。第２デコード部２２は、一定時間が経過するごとに切り替わるアナログラジオ放送を音声データにデコードする。第２音声認識部２３は、一定時間が経過するごとに切り替わるアナログラジオ放送の音声データをテキストデータに変換する。第２キーワード検索部２４は、一定時間が経過するごとに切り替わるアナログラジオ放送のテキストデータの中から、番組情報テキストデータ又は交通情報テキストデータを検索して抽出する。代替局判定部２５は、第２キーワード検索部２４により抽出された、アナログラジオ放送ごとの番組情報テキストデータ又は交通情報テキストデータと、番組表から抽出した、第１アンテナ１が現在受信中のアナログラジオ放送局の番組情報又は交通情報とを比較する。
【００５０】
ステップＳＴ２２において、代替局判定部２５は、第１アンテナ１が現在受信中のアナログラジオ放送局の番組情報又は交通情報に一致する、第２キーワード検索部２４により抽出された番組情報テキストデータ又は交通情報テキストデータがある場合（ステップＳＴ２２“ＹＥＳ”）、この番組情報テキストデータ又は交通情報テキストデータの抽出元であるアナログラジオ放送局を、第１アンテナ１が受信中のアナログラジオ放送局の代替局候補として代替局記憶部２６に記憶させ、ステップＳＴ２３へ進む。一方、代替局判定部２５は、第１アンテナ１が現在受信中のアナログラジオ放送局の番組情報又は交通情報に一致する、第２キーワード検索部２４により抽出された番組情報テキストデータ又は交通情報テキストデータがない場合（ステップＳＴ２２“ＮＯ”）、第１アンテナ１が受信中のアナログラジオ放送局の代替局候補がないと判定し、図７のフローチャートに示される動作を終了する。
【００５１】
ステップＳＴ２３において、選局制御部１９は、ステップＳＴ２２で代替局判定部２５が代替局記憶部２６に記憶させた代替局候補を選局するよう、第２選局部２１に指示する。第２選局部２１は、選局制御部１９から指示された代替局候補の電波を受信する。第２デコード部２２は、代替局候補のアナログラジオ放送を音声データに変換する。第２音声認識部２３は、代替局候補の音声データをテキストデータに変換する。第２キーワード検索部２４は、代替局候補のテキストデータの中から番組情報テキストデータ又は交通情報テキストデータを検索して抽出する。並行して、第１デコード部１２は、第１アンテナ１が受信中のアナログラジオ放送局のアナログラジオ放送を音声データに変換する。第１音声認識部１３は、第１アンテナ１が受信中のアナログラジオ放送の音声データをテキストデータに変換する。第１キーワード検索部１４は、第１アンテナ１が受信中のアナログラジオ放送のテキストデータの中から番組情報テキストデータ又は交通情報テキストデータを抽出する。
【００５２】
ステップＳＴ２４において、代替局判定部２５は、第１キーワード検索部１４により抽出された番組情報テキストデータ又は交通情報テキストデータと、第２キーワード検索部２４により抽出された番組情報テキストデータ又は交通情報テキストデータとを比較する。
【００５３】
ステップＳＴ２５において、代替局判定部２５は、第１キーワード検索部１４により抽出された番組情報テキストデータ又は交通情報テキストデータと、第２キーワード検索部２４により抽出された番組情報テキストデータ又は交通情報テキストデータとが一致しない場合（ステップＳＴ２５“ＮＯ”）、ステップＳＴ２６へ進み、一致する場合（ステップＳＴ２５“ＹＥＳ”）、ステップＳＴ２７へ進む。
【００５４】
ステップＳＴ２６において、代替局判定部２５は、代替局候補が、第１アンテナ１が受信中のアナログラジオ放送局の代替局ではないと判定し、ステップＳＴ２２で代替局記憶部２６に記憶させた代替局候補の情報を削除する。
【００５５】
ステップＳＴ２７において、代替局判定部２５は、代替局候補が、第１アンテナ１が受信中のアナログラジオ放送局の代替局であると判定し、ステップＳＴ２２で代替局記憶部２６に記憶させた代替局候補を代替局として上書きする。
【００５６】
ステップＳＴ２８において、選局制御部１９は、第１アンテナ１の受信状態が良好か否かを判定する。受信状態の判定方法は、周知の方法を用いればよいため説明を省略する。選局制御部１９は、第１アンテナ１の受信状態が良好である場合（ステップＳＴ２８“ＹＥＳ”）、図７のフローチャートに示される動作を終了する。一方、選局制御部１９は、第１アンテナ１の受信状態が悪い場合（ステップＳＴ２８“ＮＯ”）、ステップＳＴ２９へ進む。
【００５７】
ステップＳＴ２９において、選局制御部１９は、第１アンテナ１の受信状態が悪いため、代替局記憶部２６に記憶されている代替局を選局するよう、第１選局部１１に指示する。第１選局部１１は、選局制御部１９から指示された代替局の電波を受信する。
【００５８】
以上のように、実施の形態２に係るラジオ受信装置１０は、第２デコード部２２と、第２音声認識部２３と、第２キーワード検索部２４と、代替局判定部２５とを備える。第２デコード部２２は、第２アンテナ２０により受信された、第１アンテナ１が受信中のアナログラジオ放送とは異なるアナログラジオ放送を、音声データにデコードする。第２音声認識部２３は、第２デコード部２２によりデコードされた音声データをテキストデータに変換する。第２キーワード検索部２４は、第２音声認識部２３により変換されたテキストデータの中から現在日時以降の日時を示すキーワードを検索し、上記日時を示すキーワードを含む前後のテキストデータの中から予め定められた番組情報又は交通情報に関するキーワードを含む番組情報テキストデータを検索して抽出する。代替局判定部２５は、第１キーワード検索部１４により抽出された番組情報テキストデータ又は交通情報テキストデータと、第２キーワード検索部２４により抽出された番組情報テキストデータ又は交通情報テキストデータとが同じである場合、第２アンテナ２０が受信中のアナログラジオ放送局を、第１アンテナ１が受信中のアナログラジオ放送局の受信状態が悪くなった場合の代替局と判定する。これにより、ラジオ受信装置１０は、ユーザが聴取しているアナログラジオ放送の受信状態が悪くなった場合の代替局を検索することができる。
【００５９】
最後に、各実施の形態に係るラジオ受信装置１０のハードウェア構成を説明する。
図８Ａ及び図８Ｂは、各実施の形態に係るラジオ受信装置１０のハードウェア構成例を示す図である。ラジオ受信装置１０における番組表記憶部１６及び代替局記憶部２６は、メモリ１０２により実現される。ラジオ受信装置１０における第１選局部１１、第１デコード部１２、第１音声認識部１３、第１キーワード検索部１４、番組表作成部１５、表示制御部１７、音声出力部１８、選局制御部１９、第２選局部２１、第２デコード部２２、第２音声認識部２３、第２キーワード検索部２４、及び代替局判定部２５の機能は、処理回路により実現される。即ち、ラジオ受信装置１０は、上記機能を実現するための処理回路を備える。処理回路は、専用のハードウェアとしての処理回路１００であってもよいし、メモリ１０２に格納されるプログラムを実行するプロセッサ１０１であってもよい。
【００６０】
図８Ａに示されるように、処理回路が専用のハードウェアである場合、処理回路１００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。第１選局部１１、第１デコード部１２、第１音声認識部１３、第１キーワード検索部１４、番組表作成部１５、表示制御部１７、音声出力部１８、選局制御部１９、第２選局部２１、第２デコード部２２、第２音声認識部２３、第２キーワード検索部２４、及び代替局判定部２５の機能を複数の処理回路１００で実現してもよいし、各部の機能をまとめて１つの処理回路１００で実現してもよい。
【００６１】
図８Ｂに示されるように、処理回路がプロセッサ１０１である場合、第１選局部１１、第１デコード部１２、第１音声認識部１３、第１キーワード検索部１４、番組表作成部１５、表示制御部１７、音声出力部１８、選局制御部１９、第２選局部２１、第２デコード部２２、第２音声認識部２３、第２キーワード検索部２４、及び代替局判定部２５の機能は、ソフトウェア、ファームウェア、又はソフトウェアとファームウェアとの組み合わせにより実現される。ソフトウェア又はファームウェアはプログラムとして記述され、メモリ１０２に格納される。プロセッサ１０１は、メモリ１０２に格納されたプログラムを読みだして実行することにより、各部の機能を実現する。即ち、ラジオ受信装置１０は、プロセッサ１０１により実行されるときに、図２等のフローチャートで示されるステップが結果的に実行されることになるプログラムを格納するためのメモリ１０２を備える。また、このプログラムは、第１選局部１１、第１デコード部１２、第１音声認識部１３、第１キーワード検索部１４、番組表作成部１５、表示制御部１７、音声出力部１８、選局制御部１９、第２選局部２１、第２デコード部２２、第２音声認識部２３、第２キーワード検索部２４、及び代替局判定部２５の手順又は方法をコンピュータに実行させるものであるとも言える。
【００６２】
ここで、プロセッサ１０１とは、ＣＰＵ（Ｃｅｎｔｒａｌ  Ｐｒｏｃｅｓｓｉｎｇ  Ｕｎｉｔ）、処理装置、演算装置、又はマイクロプロセッサ等のことである。
メモリ１０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、又はフラッシュメモリ等の不揮発性もしくは揮発性の半導体メモリであってもよいし、ハードディスク又はフレキシブルディスク等の磁気ディスクであってもよいし、ＣＤ（Ｃｏｍｐａｃｔ  Ｄｉｓｃ）又はＤＶＤ（Ｄｉｇｉｔａｌ  Ｖｅｒｓａｔｉｌｅ  Ｄｉｓｃ）等の光ディスクであってもよい。
【００６３】
なお、第１選局部１１、第１デコード部１２、第１音声認識部１３、第１キーワード検索部１４、番組表作成部１５、表示制御部１７、音声出力部１８、選局制御部１９、第２選局部２１、第２デコード部２２、第２音声認識部２３、第２キーワード検索部２４、及び代替局判定部２５の機能について、一部を専用のハードウェアで実現し、一部をソフトウェア又はファームウェアで実現するようにしてもよい。このように、ラジオ受信装置１０における処理回路は、ハードウェア、ソフトウェア、ファームウェア、又はこれらの組み合わせによって、上述の機能を実現することができる。
【００６４】
本発明はその発明の範囲内において、各実施の形態の自由な組み合わせ、各実施の形態の任意の構成要素の変形、又は各実施の形態の任意の構成要素の省略が可能である。
また、ラジオ受信装置１０の用途は、車載装置に限定されるものではなく、スマートフォン等の情報端末、又はオーディオ装置等であってもよい。
【符号の説明】
【００６５】
１  第１アンテナ、２  スピーカ、３  ディスプレイ、１０  ラジオ受信装置、１１  第１選局部、１２  第１デコード部、１３  第１音声認識部、１４  第１キーワード検索部、１５  番組表作成部、１６  番組表記憶部、１７  表示制御部、１８  音声出力部、
１９  選局制御部、２０  第２アンテナ、２１  第２選局部、２２  第２デコード部、２３  第２音声認識部、２４  第２キーワード検索部、２５  代替局判定部、２６  代替局記憶部、１００  処理回路、１０１  プロセッサ、１０２  メモリ。
【図１】
2020005031.tif 000003
【図２】
2020005031.tif 000004
【図３】
2020005031.tif 000005
【図４】
2020005031.tif 000006
【図５】
2020005031.tif 000007
【図６】
2020005031.tif 000008
【図７】
2020005031.tif 000009
【図８】
2020005031.tif 000010